(57)【特許請求の範囲】
【請求項１】
複数の加入者側通信装置とともに光通信システムを構成する局側通信装置であって、
レイヤ２スイッチと、
前記レイヤ２スイッチに収容され、１台以上の加入者側通信装置を収容する複数の加入者線終端機能部と、
を備え、
前記加入者線終端機能部の各々は、配下の加入者側通信装置で蓄積されている上りデータ量に応じて上り信号送信用の帯域を割り当てる処理を行い、かつ、上り信号送信用帯域の割り当て結果を他の加入者線終端機能部と同じタイミングで配下の加入者側通信装置へ通知し、前記帯域を割り当てる処理では、配下の各加入者側通信装置が上り信号を送信する時間帯が、他の加入者線終端機能部配下の各加入者側通信装置が上り信号を送信する時間帯と一致するよう、帯域を割り当てる
ことを特徴とする局側通信装置。
【請求項２】
局側通信装置内の各部の動作基準となる基準クロックを生成する同期クロック生成部と、
前記基準クロックに基づいて、前記加入者線終端機能部の各々に対して動作タイミングを指示する監視制御部と、
をさらに備え、
前記加入者線終端機能部の各々は、前記基準クロックおよび前記監視制御部からの指示に基づきローカル時刻を同期させて動作する
ことを特徴とする請求項１に記載の局側通信装置。
【請求項３】
前記加入者線終端機能部の各々は、配下の各加入者側通信装置から上りデータの蓄積量の通知を受けた場合、当該蓄積量に関連する情報である蓄積量関連情報を前記レイヤ２スイッチに送信し、
前記レイヤ２スイッチは、
一定期間の間に前記加入者側通信装置から送信される上りデータの合計値が規定値に達した場合に使用するパケットバッファ、を備え、
前記加入者線終端機能部から受信した前記蓄積量関連情報に基づいて、前記パケットバッファの省電力制御を行う
ことを特徴とする請求項１または２に記載の局側通信装置。
【請求項４】
前記レイヤ２スイッチは、加入者線終端機能部から受信した前記蓄積量関連情報が示す蓄積量の前記一定期間における合計値を算出し、当該算出した合計値が前記規定値未満の場合に前記パケットバッファを省電力動作させる
ことを特徴とする請求項３に記載の局側通信装置。
【請求項５】
前記加入者線終端機能部は、配下の各加入者側通信装置から蓄積されている上りデータの蓄積量の通知を受けた場合、通知されてきた蓄積量に基づいて、前記レイヤ２スイッチに対して上りデータを送信する上り受信データ処理部の省電力制御を行う
ことを特徴とする請求項１〜４のいずれか一つに記載の局側通信装置。
【請求項６】
前記加入者線終端機能部は、前記上り受信データ処理部を省電力動作させている状態においては、配下の加入者側通信装置に蓄積されている上りデータのデータ量が０を示す情報を前記レイヤ２スイッチへ送信するとともに、配下の加入者側通信装置に対して上りデータ送信用の帯域を割り当てない
ことを特徴とする請求項５に記載の局側通信装置。
【発明の詳細な説明】
【技術分野】
【０００１】
本発明は、光通信システムの局側に設置される局側通信装置に関する。
【背景技術】
【０００２】
従来のアクセス系ネットワークとして、ＧＥ−ＰＯＮ（Ｇｉｇａｂｉｔ  Ｅｔｈｅｒｎｅｔ（登録商標）−Ｐａｓｓｉｖｅ  Ｏｐｔｉｃａｌ  Ｎｅｔｗｏｒｋ）システムが知られている（例えば下記非特許文献１参照）。このＧＥ−ＰＯＮシステムは、複数の加入者側通信装置（ＯＮＵ：Ｏｐｔｉｃａｌ  Ｎｅｔｗｏｒｋ  Ｕｎｉｔ）がスターカプラを介して光ファイバケーブルで局側通信装置（ＯＬＴ：Ｏｐｔｉｃａｌ  Ｌｉｎｅ  Ｔｅｒｍｉｎａｌ）に接続されるものであり、複数の加入者側通信装置が単一の局側通信装置を共有するため経済的なネットワークの構築が可能である。
【０００３】
ＯＮＵから送信された上りデータはＯＬＴを経由してレイヤ２スイッチ（Ｌ２ＳＷ）にて収容され、ネットワーク装置に対して送信される。
【０００４】
ＧＥ−ＰＯＮシステムにおいては、ＭＰＣＰ（Ｍｕｌｔｉ−Ｐｏｉｎｔ  Ｃｏｎｔｒｏｌ  Ｐｒｏｔｏｃｏｌ）メッセージを用いた通信制御が実行される。このＭＰＣＰメッセージは、ＯＬＴ内のＬｏｃａｌｔｉｍｅｒ（ローカルタイマ）を基準に生成される。
【０００５】
たとえば、ＯＮＵが上りデータを通信する場合、ＯＮＵとＯＬＴとの間で通信用のリンクが確立していなければ、ディスカバリーシーケンスを実施してリンクを確立させた後、ＯＬＴは、ＯＮＵに対して、上りデータの蓄積量を通知するための帯域を割り当てる。ＯＮＵは、割り当てられたた帯域（上りデータの蓄積量を通知するための帯域）を利用して、上りデータ蓄積量を通知するためのＲＥＰＯＲＴメッセージをＯＬＴへ送信し、ＯＬＴは、通知された上りデータ蓄積量に基づいて、ＯＮＵに割り当てる帯域（送信を許可する時間）を決定し、決定結果をＧＡＴＥメッセージにてＯＮＵへ通知する。そして、ＯＮＵは、ＧＡＴＥメッセージで通知された送信開始時刻および送信許可期間に従って、上りデータを送信する。
【０００６】
ＯＬＴは、配下の複数ＯＮＵからの受信データに対してデータ処理を行ったあとＬ２ＳＷへ出力する。
【０００７】
Ｌ２ＳＷは、ＯＬＴからの複数データ信号を入力し、ネットワーク側に設置されたネットワーク装置にデータ信号を出力するために内蔵のフレームバッファに一度データ信号を蓄積し、データ信号送信タイミングにあわせてネットワーク装置にデータ信号を出力する。
【０００８】
ＰＯＮシステムは、このような構成となっているため、Ｌ２ＳＷは大容量のフレームバッファが必要となり消費電力が大きくなる。そのため、Ｌ２ＳＷの入力ポート状態を監視した低電力制御が適用されている。
【先行技術文献】
【非特許文献】
【０００９】
【非特許文献１】ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ａｈ−２００５  Ｓｅｃｔｉｏｎ５
【発明の概要】
【発明が解決しようとする課題】
【００１０】
ＯＬＴには、複数のＯＮＵを収容して各ＯＮＵに対して帯域を割り当てる加入者線終端機能部（ＯＳＵ：Ｏｐｔｉｃａｌ  Ｓｕｂｓｃｒｉｂｅｒ  Ｕｎｉｔ）を複数備え、さらに、これら複数のＯＳＵを収容するＬ２ＳＷ機能を備えた構成を採用したＯＬＴが存在する。
【００１１】
このような構成のＯＬＴでは、各ＯＳＵは個別に基準タイマ（ローカルタイマ）を有しており、各ＯＳＵと配下のＯＮＵはＯＳＵのローカルタイマに従ったタイミングで信号の送受信を行う。そのため、ＯＬＴ内で複数のＯＳＵから配下のＯＮＵに対して送出するＧＡＴＥメッセージ内の送信開始時刻（ＯＮＵに通知する送信開始時刻）が異なり、個々のＯＮＵから受信するデータ信号の時刻が異なる。この結果、Ｌ２ＳＷは、各ＯＳＵから入力されるデータ信号のタイミングが任意のタイミングとなるので、Ｌ２ＳＷ内のフレームバッファを常時活性状態にしておく必要があり、消費電力が大きいフレームバッファを省電力制御して消費電力を低く抑えることができない、という問題があった。
【００１２】
本発明は、上記に鑑みてなされたものであって、Ｌ２ＳＷが複数のＯＳＵを収容した構成の光通信システムにおいてもＬ２ＳＷの省電力制御が可能な加入者側通信装置を得ることを目的とする。
【課題を解決するための手段】
【００１３】
上述した課題を解決し、目的を達成するために、本発明は、複数の加入者側通信装置とともに光通信システムを構成する局側通信装置であって、レイヤ２スイッチと、前記レイヤ２スイッチに収容され、１台以上の加入者側通信装置を収容する複数の加入者線終端機能部と、を備え、前記加入者線終端機能部の各々は、配下の加入者側通信装置で蓄積されている上りデータ量に応じて上り信号送信用の帯域を割り当てる処理を行い、かつ、上り信号送信用帯域の割り当て結果を他の加入者線終端機能部と同じタイミングで配下の加入者側通信装置へ通知し、前記帯域を割り当てる処理では、配下の各加入者側通信装置が上り信号を送信する時間帯が、他の加入者線終端機能部配下の各加入者側通信装置が上り信号を送信する時間帯と一致するよう、帯域を割り当てることを特徴とする。
【発明の効果】
【００１４】
本発明によれば、各加入者線終端機能部に収容されている各加入者側通信装置が信号を送信する時間帯が揃うので、レイヤ２スイッチ内部の省電力制御が可能となり、省電力化を実現できるという効果を奏する。
【図面の簡単な説明】
【００１５】
【図１】図１は、本発明にかかる局側通信装置を適用する光通信システムの基本構成例を示す図である。
【図２】図２は、ＯＳＵがデータ信号を送信する場合のシーケンスの一例を示す図である。
【図３】図３は、実施の形態１にかかる光通信システムの構成例を示す図である。
【図４】図４は、実施の形態１にかかる光通信システムにおける通信制御動作の一例を示す図である。
【図５】図５は、実施の形態２にかかる光通信システムの構成例を示す図である。
【発明を実施するための形態】
【００１６】
以下に、本発明にかかる局側通信装置の実施の形態を図面に基づいて詳細に説明する。なお、この実施の形態によりこの発明が限定されるものではない。
【００１７】
まず、後述する各実施の形態で前提としている技術について、図１および図２を用いて説明する。
【００１８】
図１は、本発明にかかる局側通信装置を適用する光通信システムの基本構成例を示す図である。図１に示した光通信システムは、ＯＬＴ（局側通信装置）１と、スターカプラ６を介してＯＬＴ１に接続された複数のＯＮＵ（加入者側通信装置）７と、を備えて構成されている。
【００１９】
ＯＬＴ１は、Ｌ２ＳＷ（レイヤ２スイッチ）２と、Ｌ２ＳＷ２に収容された複数のＯＳＵ（加入者線終端機能部）３とを備えている。Ｌ２ＳＷ２は、図示を省略したネットワークに接続されており、各ＯＳＵ３から受信した上り信号をネットワーク側に出力するとともに、ネットワーク側から入力された下り信号をＯＳＵ３に出力する。各ＯＳＵ３は、スターカプラ６および光ファイバケーブルを介して１台以上のＯＮＵ７を収容してＰＯＮを構成している。ＰＯＮの制御で使用されるＭＰＣＰメッセージは各ＯＳＵ３とＯＳＵ３配下の各ＯＮＵ７との間で終端される。
【００２０】
図２は、図１に示した光通信システムにおいてＯＳＵ３がデータ信号を送信する場合のシーケンスの一例を示す図であり、ＰＯＮにおけるＭＰＣＰディスカバリーシーケンスを示している。図１に示した光通信システムにおいては、各ＯＳＵ３が図２に示したＯＬＴと同様の処理を行う。すなわち、図２は、ＯＳＵ３とＯＮＵ７との間のシーケンスを示したものに相当する。
【００２１】
図２に示したように、ＰＯＮにおいて、ＯＬＴ（図１に示したＯＳＵ３に相当）は、Ｄｉｓｃｏｖｅｒｙ  Ｇａｔｅメッセージを所定のタイミングで送信することにより、自ＯＬＴとの間で通信用のリンク（論理リンク）が確立していないＯＮＵに対して、リンクを確立させるためのシーケンス実行用の帯域を割り当てる。リンク確立が完了していないＯＮＵは、Ｄｉｓｃｏｖｅｒｙ  Ｇａｔｅメッセージにて割り当てられた帯域（送信が許可された期間）においてＲｅｇｉｓｔｅｒ  Ｒｅｑｕｅｓｔメッセージを送信することによりリンクの確立を要求する。ＯＬＴは、Ｒｅｇｉｓｔｅｒ  Ｒｅｑｕｅｓｔメッセージを受信すると、このメッセージを送信してきたＯＮＵに対してリンクを割り当て、割り当て結果をＲｅｓｉｓｔｅｒメッセージにて通知するとともに、ＧＡＴＥメッセージにて上り信号送信用の帯域（送信開始時刻と送信を許可する期間）を割り当てる。ＯＮＵは、Ｒｅｓｉｓｔｅｒメッセージを正常に受信すると、ＧＡＴＥメッセージにて通知された帯域においてＲｅｇｉｓｔｅｒ  Ａｃｋメッセージを返送してリンク確立のための動作が終了となる。
【００２２】
ＯＬＴとの間のリンクが確立した状態のＯＮＵは、ＯＬＴから送信されてくるＧＡＴＥメッセージの内容を確認し、自身に割り当てられた帯域においてＲＥＰＯＲＴメッセージを送信することにより、自装置内のバッファで保持しているデータ量（次回以降のＧＡＴＥメッセージで割り当てられた帯域を使用して送信するデータの量）をＯＬＴに通知するとともに、データ信号を送信する。なお、ＯＬＴはＯＮＵに対して、一定周期（帯域更新周期）ごとにＧＡＴＥメッセージを送信して帯域を割り当てる。
【００２３】
後述する各実施の形態にかかる光通信システムは、このようなシステム構成および通信制御を想定している。
【００２４】
実施の形態１．
図３は、実施の形態１にかかる光通信システムの構成例を示す図である。実施の形態１にかかる光通信システムは、図１に示した光通信システムに対して同期クロック生成部４および監視制御部５を追加したものである。図３においては、各ＯＳＵをＯＳＵ３1，３2，…，３mとして区別している。同様に、各ＯＮＵをＯＮＵ７11，７12，…，７1n，…，７m1，７m2，…，７mnとして区別している。なお、これ以降の説明では、全ＯＳＵに共通の事項を説明する場合、ＯＳＵ３1〜ＯＳＵ３mを総称してＯＳＵ３と記載し、全ＯＮＵに共通の事項を説明する場合にはＯＮＵ７11〜ＯＮＵ７mnを総称してＯＮＵ７と記載する。
【００２５】
また、図３においては、実施の形態１にかかる光通信システムの特徴的な動作に関連する機能ブロックについても併せて記載している。すなわち、Ｌ２ＳＷ２は、次周期上り帯域容量計算部２１およびパケットバッファ２２を備え、各ＯＳＵ３はＰＯＮ−ＭＡＣ部３１を備え、さらに、このＰＯＮ−ＭＡＣ部３１は内部ローカルタイマ３２を備えている。監視制御部５はローカルタイマ５１を備えている。
【００２６】
このような構成の実施の形態１にかかる光通信システムでは、ＯＬＴ１内で各ＯＮＵと接続するＯＳＵそれぞれの送信開始時刻を揃えることにより、Ｌ２ＳＷ２への送信データ量に応じた低電力制御を実施する。
【００２７】
図３に示したＯＬＴ１において、同期クロック生成部４は、ＯＬＴ１内の各部の動作基準となる基準クロックを生成し、各ＯＳＵ３および監視制御部５に供給する。
【００２８】
監視制御部５は、内部のローカルタイマ５１を利用して各ＯＳＵ３の動作タイミングを指示するローカル時刻情報（ＬｏｃａｌＴｉｍｅ情報）を生成し、各ＯＳＵ３へ出力する。
【００２９】
ＯＳＵ３のＰＯＮ−ＭＡＣ部３１は、内部ローカルタイマ３２に従ったタイミングで、配下の各ＯＮＵ７との間でＭＰＣＰメッセージの送受信を行い、各ＯＮＵ７に対する帯域割り当て、データの送受信などを行う。帯域割り当てでは、ＧＡＴＥメッセージに格納してＯＮＵ７へ送信する送信開始時刻（ＧＳＴ：Ｇｒａｎｔ  Ｓｔａｒｔ  Ｔｉｍｅ）と送信継続時間（ＧＬ：Ｇｒａｎｔ  Ｌｅｎｇｔｈ）の情報を生成する。内部ローカルタイマ３２は、同期クロック生成部４から入力される基準クロックおよび監視制御部５から入力されるローカル時刻情報に基づいて動作する。また、ＰＯＮ−ＭＡＣ部３１は、配下の各ＯＮＵ７から受信したＲＥＰＯＲＴメッセージにて通知されてきたデータ量（ＯＮＵ７で保持されている上りデータのデータ量）の合計値、すなわち配下の全ＯＮＵ７から受信したＲＥＰＯＲＴメッセージ各々にて通知されてきたデータ量の合計値をレポートフレーム情報に設定してＬ２ＳＷ２へ通知する。
【００３０】
Ｌ２ＳＷ２の次周期上り帯域容量計算部２１は、各ＯＳＵ３から通知されたレポートフレーム情報に基づいて、次の帯域更新周期における帯域容量（次の帯域更新周期でＯＮＵ７から送信されてくる上りデータのデータ量の合計値）を算出し、算出結果に基づいてパケットバッファ２２の省電力制御を行う。パケットバッファ２２は、ＯＳＵ３からの上りデータ量が一定レベルに達した場合、一定レベルを超過した分の上りデータを蓄積する。このパケットバッファ２２は、大量の上りデータがＬ２ＳＷ２に入力された場合に限定的に使用するバッファである。Ｌ２ＳＷ２は、入力される上りデータが少ない場合、図示を省略しているＲＡＭなどの記憶領域を利用して上りデータの処理を行う。
【００３１】
上記のように本実施の形態の光通信システムでは、同期クロック生成部４で生成された基準クロックと監視制御部５のローカルタイマ５１で生成されたローカルタイム情報に従って各ＯＳＵ３が動作するので、各ＯＳＵ３の内部ローカルタイマ（ローカル時刻）は同期が取れた状態となっており、以下に示すような省電力制御が可能である。
【００３２】
すなわち、図４に示したように、ＯＬＴ１内の各ＯＳＵ３（ＯＳＵ３1，…，３m，…）が配下の各ＯＮＵ７（ＯＮＵ７11，…，７mn，…）へＧＡＴＥメッセージを送信するタイミングをＯＳＵ３の間で揃えることができ、さらに、ＧＡＴＥメッセージに設定する送信開始時刻（ＧＳＴ）を各ＯＳＵ３で揃えることができる。この結果、各ＯＮＵ７から送信されるＲＥＰＯＲＴメッセージおよびデータ信号の送信タイミング（送信時間帯）が揃う。なお、各ＯＳＵ３のＰＯＮ−ＭＡＣ部３１は、配下の各ＯＮＵ７から送信されるＲＥＰＯＲＴメッセージ等が衝突しないように考慮してＯＮＵ７ごとに異なるＧＳＴを指定する。
【００３３】
ＯＳＵ３配下のＯＮＵ７は、ＯＳＵ３のローカル時刻に従ってＲＥＰＯＲＴメッセージなどのＭＰＣＰメッセージを送信するため、複数存在しているＯＳＵ３のローカル時刻が異なる場合、異なるＯＳＵ３配下の複数のＯＮＵ７によるＭＰＣＰメッセージ（ＲＥＰＯＲＴメッセージなど）の送信タイミングを同期させるのは困難である。しかしながら、本実施の形態の光通信システムにおける複数のＯＳＵ３は共通の基準クロックおよびローカル時刻情報に従って動作しているため、各ＯＳＵ３からＯＮＵ７へのメッセージ送信タイミング、および各ＯＮＵ７からＯＳＵ３へのメッセージ送信タイミングを容易に同期させることができる。また、これに伴って、各ＯＳＵ３のＰＯＮ−ＭＡＣ部３１からＬ２ＳＷ２に対してレポートフレーム情報が出力されるタイミングも揃う。また、各ＯＳＵ３とその配下のＯＮＵ７からなる各ＰＯＮにおける帯域更新周期が同じとなる（各ＰＯＮにおける帯域更新周期の開始／終了時刻が揃う）。
【００３４】
なお、各ＯＳＵ３がＧＡＴＥメッセージを送信するタイミングは、例えば、監視制御部５が各ＯＳＵ３に対して共通の送信時刻を指定すればよい。各ＯＳＵ３が各ＧＡＴＥメッセージに設定するＧＳＴ（図４に示したＡ1，Ａ2，…，Ａn，…に相当）は、各ＯＳＵ３の間で予め共通の値を決定しておいてもよいし、監視制御部５などが指定するようにしてもよい。
【００３５】
各ＯＳＵ３のＰＯＮ−ＭＡＣ部３１から同じタイミングで出力されたレポートフレーム情報を受け取ったＬ２ＳＷの次周期上り帯域容量計算部２１は、受信した各レポートフレーム情報に含まれるデータ蓄積量の合計値に基づいて、各ＯＳＵ３から次周期（次の帯域更新周期）で受信するデータ量を（上り帯域容量）を算出する。算出結果より、上り帯域容量が所定の閾値よりも少ない場合、すなわち、パケットバッファ２２を使用する必要がない程度に上り帯域容量が少ない場合、パケットバッファ２２に対してパワーダウン実施指示（低電力）を行い、低電力動作を開始させる。また、次周期のレポートフレーム情報が送信されてきた場合、上り帯域容量を算出し、算出した上り帯域容量が上記閾値よりも少ない場合、パケットバッファ２２に対するパワーダウン実施指示（低電力）を継続する。逆に上り帯域容量が上記閾値以上の場合、パケットバッファ２２に対しパワーダウン解除指示を行って低電力動作を終了させ、通常動作に復帰させる。次周期上り帯域容量計算部２１は、パケットバッファ２２に対してパワーダウン実施指示を行った場合、その旨を各ＯＳＵ３のＰＯＮ−ＭＡＣ部３１に通知し、ＰＯＮ−ＭＡＣ部３１はＯＮＵ７に対して帯域を割り当てないように制御してもよい。
【００３６】
以上のように、本実施の形態の光通信システムにおいては、ＯＬＴ内の複数のＯＳＵが同じタイミングで配下のＯＮＵへＧＡＴＥメッセージを送信し、また、各ＧＡＴＥメッセージには、各ＯＳＵ配下の各ＯＮＵがＲＥＰＯＲＴメッセージおよび上りデータを送信するタイミングが同じとなるように、送信開始時刻を設定することとした。さらに、各ＯＳＵは、Ｌ２ＳＷに対して、ＲＥＰＯＲＴメッセージで通知されてきた、ＯＮＵでのデータ蓄積量をＬ２ＳＷに通知することとした。これにより、Ｌ２ＳＷでは、帯域更新周期ごとの上りデータの受信量を把握できるので、内部のパケットバッファに対するパワーダウン制御が可能となり、システムの省電力化を実現できる。
【００３７】
実施の形態２．
実施の形態１では、Ｌ２ＳＷの省電力化を実現する場合について説明したが、本実施の形態では、ＯＳＵの省電力化を実現する低電力制御について説明する。具体的には、ＯＮＵから各ＯＳＵに送信されるＲＥＰＯＲＴメッセージに格納されたデータ蓄積量に応じた制御を行うことにより省電力化を実現する。
【００３８】
図５は、実施の形態２にかかる光通信システムの構成例を示す図である。実施の形態２にかかる光通信システムは、実施の形態１の光通信システムを構成していたＯＬＴ１（図３参照）をＯＬＴ１ａに置き換えたものであり、ＯＬＴ１ａは、ＯＬＴ１が備えていたＯＳＵ３をＯＳＵ３ａ（３ａ1〜３ａm）に置き換えたものである。ＯＳＵ３ａ以外の構成要素はＯＬＴ１と共通であるため、本実施の形態では、ＯＳＵ３ａの構成および動作を中心に説明を行う。なお、図５ではＯＳＵ３ａmの内部構成の記載を省略しているが、ＯＳＵ３ａmの構成はＯＳＵ３ａ1と同一である。
【００３９】
ＯＳＵ３ａは、ＰＯＮ−ＭＡＣ部３１、上り受信データ処理部３４、下り受信データ処理部３５および送信データ処理部３６を備えており、ＰＯＮ−ＭＡＣ部３１ａは、ローカルタイマ３２およびレポートメッセージ情報監視部３３を備えている。
【００４０】
ＯＳＵ３ａにおいて、ＰＯＮ−ＭＡＣ部３１ａは、実施の形態１で説明したＰＯＮ−ＭＡＣ部３１と同様に、内部ローカルタイマ３２に従ったタイミングで、配下の各ＯＮＵ７との間でＭＰＣＰメッセージの送受信を行い、各ＯＮＵ７に対する帯域割り当て、データの送受信などを行う。さらに、上り受信データ処理部３４に対する省電力制御を行う。ＰＯＮ−ＭＡＣ部３１ａのレポートメッセージ情報監視部３３は、ＯＳＵ３ａ配下のＯＮＵ７から送信されてきたＲＥＰＯＲＴメッセージ格納されたデータ蓄積量を抽出する。
【００４１】
上り受信データ処理部３４は、ＯＳＵ３ａ配下のＯＮＵ７から送信されてきた受信データ信号を処理してＬ２ＳＷ２へ出力する。なおＲＥＰＯＲＴメッセージは取り扱わない。
【００４２】
下り受信データ処理部３５は、Ｌ２ＳＷ２から送信されてきた受信データ信号を処理して送信データ信号を生成する。
【００４３】
送信データ処理部３６は、配下の各ＯＮＵ７との間でＭＰＣＰメッセージの送受信を行う。
【００４４】
以下、本実施の形態にかかる光通信システムにおいて局側通信装置（ＯＬＴ１ａ）が実行する省電力制御動作について説明する。各ＯＳＵ３ではレポートメッセージ情報監視部３３が各ＯＮＵ７から受信したＲＥＰＯＲＴメッセージに格納されたデータ蓄積量を抽出し、全ＯＮＵ７からのＲＥＰＯＲＴメッセージを受信し、データ蓄積量の抽出が完了すると、抽出したデータ蓄積量の合計を算出し、抽出したデータ蓄積量の合計値が所定の閾値よりも少ない場合、Ｌ２ＳＷ２へ送信するレポートフレーム情報内のデータ蓄積量を０に設定する。さらに、上り受信データ処理部３４に対してパワーダウン実施指示（低電力）を行い、低電力動作を開始させる（Ｌ２ＳＷ２へのデータ送信動作を停止させる）。また、次周期のＲＥＰＯＲＴメッセージが各ＯＮＵ７から送信されてきた場合、上記と同様に、全ＯＮＵ７からのＲＥＰＯＲＴメッセージを受信後、データ蓄積量の合計値を算出し、データ蓄積量の合計値が閾値よりも少ない場合には、パワーダウン実施指示（低電力）を継続する。逆にデータ蓄積量の合計値が閾値以上の場合、上り受信データ処理部３４に対してパワーダウン解除指示を行って低電力動作を終了させ、通常動作に復帰させる（Ｌ２ＳＷ２へのデータ送信動作を再開させる）。
【００４５】
また、ＰＯＮ−ＭＡＣ部３１ａは、上り受信データ処理部３４を低電力動作状態にした場合、受信したＲＥＰＯＲＴメッセージのデータ蓄積量に基づいて行う帯域割り当て制御の対象となる帯域更新周期では配下の各ＯＮＵ７に対してデータ送信用の帯域を割り当てない。
【００４６】
なお、Ｌ２ＳＷ２においては、各ＯＳＵ３ａから通知されるレポートフレーム情報に基づいて、実施の形態１で説明した省電力制御を行う。
【００４７】
このように、本実施の形態の光通信システムにおいて、ＯＬＴ内の各ＯＳＵは、配下の各ＯＮＵに蓄積されているデータ量が所定の閾値よりも少ない場合、該当する帯域更新周期（受信したＲＥＰＯＲＴメッセージのデータ蓄積量に基づいて行う帯域割り当て制御の対象となる帯域更新周期）においては配下の各ＯＮＵに対してデータ送信用の帯域を割り当てないようにするとともに、Ｌ２ＳＷへのデータ送信処理を行う上り受信データ処理部を低電力動作に遷移させることとした。これにより、実施の形態１で説明した光通信システムと比較して、さらなる省電力化を実現できる。
【００４８】
なお、上述した各実施の形態では、ＯＬＴ内にＬ２ＳＷが存在する場合の構成を例にとって説明したが、Ｌ２ＳＷがＯＬＴ外に存在する構成であってもよい。この場合にも、各ＯＳＵは、Ｌ２ＳＷに対してレポートフレーム情報を送信し、Ｌ２ＳＷは、ＯＬＴ（各ＯＳＵ）から受信したレポートフレーム情報に基づいて省電力制御を行う。
【産業上の利用可能性】
【００４９】
以上のように、本発明にかかる局側通信装置は、局側通信装置（ＯＬＴ）を複数の加入者側通信装置（ＯＮＵ）で共有する光通信システムに有用であり、特に、加入者側通信装置を収容する加入者線終端機能部を複数備えた局側通信装置に適している。
【符号の説明】
【００５０】
１，１ａ  局側通信装置（ＯＬＴ）
２  レイヤ２スイッチ（Ｌ２ＳＷ）
３，３1〜３m，３ａ1〜３ａm  加入者線終端機能部（ＯＳＵ）
４  同期クロック生成部
５  監視制御部
６  スターカプラ
７，７11〜７1n，７m1〜７mn  加入者側通信装置（ＯＮＵ）
２１  次周期上り帯域容量計算部
２２  パケットバッファ
３１，３１ａ  ＰＯＮ−ＭＡＣ部
３２  内部ローカルタイマ
３３  レポートメッセージ情報監視部
３４  上り受信データ処理部
３５  下り受信データ処理部
３６  送信データ処理部
５１  ローカルタイマ
【図１】
0005484308.tif 000002
【図２】
0005484308.tif 000003
【図３】
0005484308.tif 000004
【図４】
0005484308.tif 000005
【図５】
0005484308.tif 000006